(57)【要約】【課題】セルフ給油のガソリンスタンドにおいて、２つのレーンに挟まれたアイランド上に配置される２つの給油機に対して共通使用可能な料金精算用の単一の貨幣取扱装置において、可能な限り部品やユニットを共通使用することにより部品点数によるコスト増、装置の大型化を防止しながら、両レーン側からの同時利用に対応する。【解決手段】対向する２つの外面に夫々入出金部９ａ、９ｂを有する接客手段１ａ、１ｂを配置した貨幣取扱装置１において、各入出金部から夫々入金された紙幣を装置内部に搬送したり入出金部から払戻しする共通紙幣搬送部１７と、共通紙幣搬送部により装置内に搬送されてきた紙幣の真贋、金種、数量を識別する共通の紙幣識別計数部１８と、識別計数部により識別を受けた紙幣を金種別に受入れると共に収容した紙幣を金種別に共通紙幣搬送部に送出する共通の紙幣金庫３１と、これらを制御する制御部１６と、を備えている。【選択図】      図５
2004310540.tif 000002
【特許請求の範囲】
【請求項１】
２つの外面の夫々に少なくとも紙幣の入金部を有する接客手段を配置した紙幣取扱装置において、
前記各接客手段に設けた各入金部から夫々延びる専用紙幣搬送部と、
各専用紙幣搬送部が合流する合流部と、
合流部から延びる共通紙幣搬送部と、
共通紙幣搬送部により搬送されてきた紙幣の真贋、金種、数量を識別する共通の紙幣識別計数部と、
紙幣識別計数部により識別を受けた紙幣を金種別に受け入れて収容する共通の紙幣金庫と、
これらを制御する共通の制御部と、を備え、
前記制御部は、前記一方の接客手段に設けた入金部に紙幣が入金された場合、他方の接客手段に設けた入金部からの入金を許容する一方で、少なくとも一方からの入金部から入金された紙幣を前記紙幣識別計数部が識別を完了するまでの待機期間は、他方の入金部から入金した紙幣を当該専用紙幣搬送部において保留することを特徴とする紙幣取扱装置。
【請求項２】
前記各入金部は、それぞれ入金部の内部へ向けて順次配置した紙幣センサと、紙幣シャッタを備え、
前記制御部は、常時においては各紙幣シャッタを閉止し続け、
各入金部に夫々紙幣が入金されて各紙幣センサが紙幣進入を検知したときに各紙幣シャッタを開放し、
各紙幣が各紙幣シャッタを通過完了した時に各紙幣シャッタを閉止し、
各入金部に夫々入金された紙幣のうち、先に入金された側の紙幣については前記共通紙幣搬送部によって前記紙幣識別計数部に搬送し、後に入金された側の紙幣については前記専用紙幣搬送部内に一時保留しておき、
先の紙幣の識別が完了した後に、一時保留していた紙幣の識別部への搬送を開始することを特徴とする請求項１に記載の紙幣取扱装置。
【請求項３】
前記入金部は、出金部をも兼ね、
前記共通紙幣搬送部は、前記紙幣識別計数部と連通する第１の共通搬送手段と、前記紙幣金庫の排出口と連通する第２の共通搬送手段と、第１又は第２の共通搬送手段の何れかを選択する切替爪を備え、
第１の共通搬送手段は正逆双方向へ紙幣を搬送可能であり、
第２の共通搬送手段は払戻方向に紙幣を搬送可能であることを特徴とする請求項１又は２に記載の紙幣取扱装置。
【請求項４】
２つの外面の夫々に少なくとも硬貨の入金部と出金部を有する接客手段を配置した硬貨取扱装置において、
前記各接客手段に設けた各入金部から夫々延びる専用硬貨搬送部と、
各専用硬貨搬送部により搬送されてきた硬貨の真贋、金種、数量を識別する共通の硬貨識別計数部と、
硬貨識別計数部により真正と容認された硬貨を金種別に振り分けて共通の硬貨金庫に送り込むと共に、否認された硬貨をリジェクトする共通の硬貨振分け部と、
硬貨振分け部によりリジェクトされた硬貨、及び、硬貨金庫から払い出された硬貨を受け取って各出金部に排出する払出し硬貨共通搬送部と、
これらを制御する共通の制御部と、を備え、
前記硬貨共通搬送部は、少なくとも２つのローラによりエンドレスに張設されると共に駆動部によって正逆双方向に切替え走行可能に構成され且つ両端部を前記各出金部に近接させた排出ベルトと、排出ベルトをシーソー式に上下揺動可能に支持すると共に排出ベルトの搬送面が何れか一方の出金部に向けて下向き傾斜するように交互に各端部を降下させる傾動部と、を備えていることを特徴とする硬貨取扱装置。
【請求項５】
前記制御部は、一方の接客手段に設けた入金部から硬貨が投入された際に、前記傾動部により排出ベルトの一端を当該一方の接客手段側の出金部に向けて下向きに傾斜させた状態に保持すると共に、前記駆動部により排出ベルトの搬送面を傾斜方向下側へ走行させることにより、前記硬貨振分け部からのリジェクトにより排出ベルトの搬送面に放出された硬貨を当該一方の接客手段側の出金部に排出することを特徴とする請求項４に記載の硬貨取扱装置。
【請求項６】
２つの外面の夫々に少なくとも硬貨の入金部を有する接客手段を配置した硬貨取扱装置において、
前記各入金部は、夫々各入金部の内部へ向けて順次配置した硬貨センサと、硬貨シャッタと、これらを制御する制御部と、を備え、
前記制御部は、各入金部に設けた硬貨シャッタを常時においては閉止状態に保持し、
一方の入金部に硬貨が入金されたことを当該一方の硬貨センサが検知したときに当該一方の硬貨シャッタを開放し、
その際には他方の入金部の硬貨センサが硬貨挿入を検知したとしても当該他方の硬貨シャッタを前記制御部が許可するまで閉止し続けることを特徴とする硬貨取扱装置。
【請求項７】
請求項１、２又は３に記載の紙幣取扱装置と、請求項４、５又は６に記載の硬貨取扱装置とを一つの筐体に組み入れ、
紙幣と硬貨を取扱い可能にしたことを特徴とする貨幣取扱装置。
【発明の詳細な説明】
【０００１】
【発明の属する技術分野】
本発明は、紙幣取扱装置、硬貨取扱装置、及びこれらを備えた貨幣取扱装置に関し、特に、１つの筐体の対向する２面に設けた接客部に共通で対応する紙幣取扱ユニット及び／又は硬貨取扱ユニットを用いることで低コスト化を図る技術に関する。更に、例えばセルフ方式の給油システムを採用するガソリンスタンドに適用することにより、自動車進入用の２つのレーンに共通使用して低コスト化を図ることができるようにした技術に関する。
【０００２】
【従来の技術】
従来、自動販売機、自動券売機、自動両替機、自動決済機などの貨幣取扱装置として、省スペース化を図るために２台分の構成部品を１筐体にまとめ、紙幣や硬貨の入金部、出金部、操作部、及び表示部等からなる接客部を２面設けることにより、一台の貨幣取扱装置を２人の利用者により同時に使用し得るように構成したものがある。
具体的には、従来例えばガソリンスタンドにおける自動車への給油は、その作業をガソリンスタンドの係員が行っていたが、最近の法改正に伴い、自動車の運転者等の利用者自身がガソリンスタンドにおいて直接給油するセルフ給油が可能となり、徐々に普及してきている。このようなセルフ式給油システムとして、例えば特開平１０−２６４９９７号公報に開示されるようなものがある。
上記セルフ給油に伴う料金の決済手段には、現金による支払いやプリペイドカードによる支払い等、各種の形態があり、多くの場合、販売時点情報管理方式（以下、ＰＯＳという）が導入されている。
【０００３】
図１１は、従来のガソリンスタンドに設置されるセルフ給油システムの一例を示す構成概要図であり、図１２は、そのセルフ給油システムを採用したガソリンスタンドにおける配置例を示す図である。
図１１に示されるように、本システムは、外部端末（貨幣入金装置）１０１、給油機１０２、精算機１０３及びＰＯＳ１０４とで構成され、また、図１２に示されるように、外部端末１０１及び給油機１０２は、ガソリンスタンドのアイランド１００上に設置され、精算機１０３及びＰＯＳ１０４は、事務所等に設置される。
外部端末１０１は、ＰＯＳ１０４の端末機であり、紙幣入金部１０５、操作表示部１０６及びカード発行部１０７を備え、また、給油機１０２は給油用の給油ノズル１０８を備えている。
通常、ガソリンスタンドには１組のＰＯＳ１０４と精算機１０３が備えられ、一つのレーンに対応して１組の外部端末１０１と給油機１０２がアイランド上に用意される。したがって、アイランドの両側にレーンを有する場合は、アイランド上に２組の外部端末１０１と給油機１０２とが用意されることになる。
ガソリンスタンドを利用する自動車の運転者（以下、利用者という）が外部端末１０１の紙幣入金部１０５に紙幣を入金すると、外部端末１０１は入金額を確認し、操作表示部１０６に入金額を表示する。その後、油種の指定等、所定の入力操作を行うことで給油機１０２による自動車への給油が可能となる。
次に、利用者が操作表示部１０６からの入力操作により油種を指定し、所定の給油ノズル１０８によって給油作業を行うと、給油機１０２は所定量を自動車に給油した後にその供給量を計量し、例えば油量を指定した入力操作が行われていた場合には、指定された油量に達したときに自動的に供給を停止すると共に、供給量のデータを外部端末１０１に伝達する。
外部端末１０１は、精算情報を操作表示部１０６上に表示する。
前記の入金額、供給した油種、供給量等のデータは、外部端末１０１よりＰＯＳ１０４へ伝達されると共に、操作表示部１０６に給油した油種・油量・料金等の精算情報が表示される。
仮に、釣銭が必要である場合、外部端末１０１は、カード発行部１０７より給油機番号、給油した油種・油量、釣銭金額等の情報が格納された釣銭カードを発行する。そして、この場合、利用者は、事務所等に設置され、ＰＯＳ１０４と連結した精算機１０３のカードリーダに、持参した釣銭カードを挿入することにより釣銭を受取る。
なお、ＰＯＳ１０４は、外部端末１０１より伝達されたデータあるいは精算機１０３における精算処理データを一括管理する。
また、アイランド１００を小規模にしてガソリンスタンドのスペースを有効活用するため、前述の外部端末１０１及び給油機１０２を夫々の筐体で両面対応可能としたものも実用化されている。
【０００４】
上記セルフ給油システムにおいては、ガソリンスタンドの係員が不在の状態で、利用者自身によって給油が行われるので、係員が給油を行う従来のシステムと同様に給油作業の安全性や金銭授受の確実性が維持されるよう求められるのは当然であるが、さらに、給油作業及び料金の精算を一箇所でスムーズに終わらせたいという要求がある。
しかしながら、従来例に示されるように、釣銭が必要な場合には、釣銭カードを外部端末１０１から離れた場所に設置された精算機１０３まで持参して釣銭を受領しなければならず、なお且つ、精算機１０３が順番を待つ人で混雑している場合は、列をつくって待機しなければならないという不便さがある。
また、バイク等の利用者が少量の給油を行いたいという場合においても、必ず紙幣をもっていなければ給油できないという問題もある。
また、ガソリンスタンドにおけるアイランドの両側にレーンがある場合に、アイランド上に２つの給油機と、２つの給油機に共用される一つの外部端末（貨幣取扱装置）を配置し、各レーンに対面する外部端末の各接客面に夫々入金部、操作表示部、出金部等を配置することによって、一つの外部端末によって両レーンからの入出金操作を可能とする貨幣取扱装置が提案されている。
しかし、このタイプの貨幣取扱装置は、従来別体構造であった２つの外部端末を単に一つの筐体内に組み込んだ構成を備えているに過ぎない。即ち、各接客面に設けた入金部、操作表示部、出金部のみならず、内部に配置される金銭搬送手段、識別手段、金種別の振分け手段、金庫等の構成要素が夫々個別に設けられているため、部品点数の増大によるコスト増、装置の大型化といった不具合を有していた。
【０００５】
上記課題を解決するために、自動販売機、自動券売機、自動両替機、自動決済機などの貨幣取扱装置において、省スペース化を図るために２台分の構成部品を１筐体内に組み込む一方で、紙幣や硬貨の入金部、出金部、操作部、及び表示部等からなる接客部を２面設ける一方で、金銭搬送手段や識別手段等を共通化して部品点数を減らしたものが提案されている。例えば、特開昭５１−４７４９９号公報「券売機」には、１台の券売機に２つの接客面を備え、且つ、構成ユニットの主たる部分を共通に利用できるようにし、夫々の接客面の取出口に券と釣銭を排出する券売機が開示されている。
【特許文献１】特開平１０−２６４９９７号公報
【特許文献２】特開昭５１−４７４９９号公報
【０００６】
【発明が解決しようとする課題】
しかしながら、特許文献２には２人の利用者のうち何れか一方が先に金銭を入金することを前提とした場合しか開示されておらず、一台の貨幣取扱装置に２人の利用者により同時に入金があった場合に発生する不具合についてはなんら言及していない。例えば、硬貨を２人が各入金口に入金してしまうと、識別手段にて識別した硬貨がどちらの利用者によって入金されたものかを判定することができなくなる。そのため、実際には、貨幣取扱装置の構成要素を共通化することは進んでおらず、部品点数の増大によるコスト増、構造の複雑化、大型化を解決できていない。
例えば、セルフ給油のガソリンスタンドにおいて、２つのレーンに挟まれたアイランド上に配置される２つの給油機に対して共通使用可能な料金精算用の単一の貨幣取扱装置であって、可能な限り部品やユニットを共通使用することにより部品点数によるコスト増、装置の大型化を防止しながら、両レーン側からの同時利用に対応することができるようにした貨幣取扱装置を提供することを目的としている。
【０００７】
【課題を解決するための手段】
上記課題を解決するために、請求項１の発明に係る紙幣取扱装置は、２つの外面の夫々に少なくとも紙幣の入金部を有する接客手段を配置した紙幣取扱装置において、前記各接客手段に設けた各入金部から夫々延びる専用紙幣搬送部と、各専用紙幣搬送部が合流する合流部と、合流部から延びる共通紙幣搬送部と、共通紙幣搬送部により搬送されてきた紙幣の真贋、金種、数量を識別する共通の紙幣識別計数部と、紙幣識別計数部により識別を受けた紙幣を金種別に受け入れて収容する共通の紙幣金庫と、これらを制御する共通の制御部と、を備え、前記制御部は、前記一方の接客手段に設けた入金部に紙幣が入金された場合、他方の接客手段に設けた入金部からの入金を許容する一方で、少なくとも一方からの入金部から入金された紙幣を前記紙幣識別計数部が識別を完了するまでの待機期間は、他方の入金部から入金した紙幣を当該専用紙幣搬送部において保留することを特徴とする。
複数の接客手段を備えた貨幣取扱装置の一例として、セルフ給油方式の給油システムに装備される貨幣取扱装置が知られている。この給油システムにおいて、２つのレーンに挟まれたアイランド上に設置されて両レーンの利用者によって共用可能なタイプが知られているが、この貨幣取扱装置は、夫々異なった２組の貨幣取扱装置を単に合体させて一つの筐体内に収納したものに過ぎない。従って、部品点数の増大による大型化、高コスト化を回避できなかった。
これに対して本願発明では、共通紙幣搬送部、識別計数部、金庫を、２つの接客手段に共通の部品により構成したので、装置構成のシンプル化により、小型化、低コスト化を実現できる。また、共通紙幣搬送部は、専用搬送部を除いた他の部分を、２つの接客手段に共通する部品にて構成したので、小型化、低コスト化に資することができる。また、２つの接客手段に設けた各入出金部からほぼ同時に紙幣が入金された場合には、僅かでも先に入金された紙幣を優先して識別計数部、金庫へ搬送するが、他方の入出金部から入金される紙幣についても拒否せずに受入れて専用搬送部にて一時保留し、先の紙幣の入金処理が終了した時点で入金処理を行う。紙幣の搬送、識別計数、及び金庫への収納作業は高速に行われるので、他方の利用者を長く待たせる不具合も生じない。また、先の利用者が続けて紙幣を入金する場合にも、他方の利用者の入金と入金処理が完了した時点で可能となるので、長時間待たせることにはならない。
【０００８】
請求項２に係る紙幣取扱装置は、請求項１において、前記各入金部は、それぞれ入金部の内部へ向けて順次配置した紙幣センサと、紙幣シャッタを備え、前記制御部は、常時においては各紙幣シャッタを閉止し続け、各入金部に夫々紙幣が入金されて各紙幣センサが紙幣進入を検知したときに各紙幣シャッタを開放し、各紙幣が各紙幣シャッタを通過完了した時に各紙幣シャッタを閉止し、各入金部に夫々入金された紙幣のうち、先に入金された側の紙幣については前記共通紙幣搬送部によって前記紙幣識別計数部に搬送し、後に入金された側の紙幣については前記専用紙幣搬送部内に一時保留しておき、先の紙幣の識別が完了した後に、一時保留していた紙幣の識別部への搬送を開始することを特徴とする。
これによれば、各入出金部に設けた紙幣センサと、紙幣シャッタの協働によって、各入出金部からほぼ同時に入金される場合の交互の紙幣入金処理を行うことが可能となる。
請求項３に係る紙幣取扱装置は、請求項１又は２において、前記入金部は、出金部をも兼ね、前記共通紙幣搬送部は、前記紙幣識別計数部と連通する第１の共通搬送手段と、前記紙幣金庫の排出口と連通する第２の共通搬送手段と、第１又は第２の共通搬送手段の何れかを選択する切替爪を備え、第１の共通搬送手段は正逆双方向へ紙幣を搬送可能であり、第２の共通搬送手段は払戻方向に紙幣を搬送可能であることを特徴とする。
紙幣を識別計数部に送り込む第１の共通搬送手段と、金庫から払い出される紙幣を受け取る第２の共通搬送手段は、両接客手段に共通した構成を有しているため、部品点数の低減による小型化、低コスト化に貢献する。
【０００９】
請求項４の発明に係る硬貨取扱装置は、２つの外面の夫々に少なくとも硬貨の入金部と出金部を有する接客手段を配置した硬貨取扱装置において、前記各接客手段に設けた各入金部から夫々延びる専用硬貨搬送部と、各専用硬貨搬送部により搬送されてきた硬貨の真贋、金種、数量を識別、計数する共通硬貨識別計数部と、硬貨識別計数部により真正と容認された硬貨を金種別に振り分けて共通の硬貨金庫に送り込むと共に、否認された硬貨をリジェクトする共通の硬貨振分け部と、硬貨振分け部によりリジェクトされた硬貨、及び、硬貨金庫から払い出された硬貨を受け取って各出金部に排出する払出し硬貨共通搬送部と、これらを制御する共通の制御部と、を備え、前記硬貨共通搬送部は、少なくとも２つのローラによりエンドレスに張設されると共に駆動部によって正逆双方向に切替え走行可能に構成され且つ両端部を前記各出金部に近接させた排出ベルトと、排出ベルトをシーソー式に上下揺動可能に支持すると共に排出ベルトの搬送面が何れか一方の出金部に向けて下向き傾斜するように交互に各端部を降下させる傾動部と、を備えていることを特徴とする。
硬貨用の識別計数部と、払出し硬貨共通搬送部と、共通の制御部と、を備えているので、共用される部品点数が大幅に増大し、その結果、小型化、低コスト化することができる。
請求項５の発明に係る硬貨取扱装置は、請求湖４において、前記制御部は、一方の接客手段に設けた入金部から硬貨が投入された際に、前記傾動部により排出ベルトの一端を当該一方の接客手段側の出金部に向けて下向きに傾斜させた状態に保持すると共に、前記駆動部により排出ベルトの搬送面を傾斜方向下側へ走行させることにより、前記硬貨振分け部からのリジェクトにより排出ベルトの搬送面に放出された硬貨を当該一方の接客手段側の出金部に排出することを特徴とする。
一方の接客手段側から硬貨が入金された場合に、釣銭としての硬貨や、リジェクトされた硬貨は、同じ側の出金部から払出されるが、硬貨投入と同時に排出ベルトを該出金部側へ向けて下向きに傾斜させておくことにより、遅滞なく払出すべき硬貨を出金部に排出できる。
【００１０】
請求項６の発明に係る硬貨取扱装置は、２つの外面の夫々に少なくとも硬貨の入金部を有する接客手段を配置した硬貨取扱装置において、前記各入金部は、夫々各入金部の内部へ向けて順次配置した硬貨センサと、硬貨シャッタと、これらを制御する制御部と、を備え、前記制御部は、各入金部に設けた硬貨シャッタを常時においては閉止状態に保持し、一方の入金部に硬貨が入金されたことを当該一方の硬貨センサが検知したときには該一方の硬貨シャッタを開放し、その際には他方の入金部の硬貨センサが硬貨挿入を検知したとしても当該他方の硬貨シャッタを前記制御部が許可するまで閉止し続けることを特徴とする。
硬貨は入金された後は自然落下するので、落下速度をコントロールできにくい。このため、両接客手段側から相前後して入金される場合には、後からの入金を禁止するのが好ましい。
請求項７の発明に係る貨幣取扱装置は、請求項１、２又は３に記載の紙幣取扱装置と、請求項４、５又は６に記載の硬貨取扱装置とを一つの筐体に組み入れ、紙幣と硬貨を取扱い可能にしたことを特徴とする。
紙幣を取り扱う紙幣取扱装置と、硬貨を取扱う硬貨取扱装置を一つの筐体内に収容して、紙幣と硬貨を入出金可能に構成した場合、紙幣が入金された際に発生する硬貨の釣銭を処理するために、前記払出し硬貨共通搬送部の排出ベルトを使用する。
【００１１】
【発明の実施の形態】
以下、本発明を図面に示した実施の形態に基づいて説明する。
なお、以下の実施形態では、本発明の貨幣取扱装置をガソリン等の燃料の給油システムに適用した例を示しているが、これは一例に過ぎず、本発明の貨幣取扱装置は、自動販売機、自動券売機、自動両替機、自動決済機等の貨幣取扱装置一般に適用することができる。
図１は、本発明に係わる貨幣取扱装置を適用する一例としての給油システムの一形態例を示す模式的な配置図である。
同図に示すように、本給油システムを備えたガソリンスタンドにおいては、自動車が進入してくる２つの平行なレーンＡ、レーンＢによって挟まれた一つのアイランドａ上に、一つの貨幣取扱装置１と、各レーン用に設けた２つの給油機２ａ、２ｂが配置されている。貨幣取扱装置１は、各給油機２ａ、２ｂを用いた給油時における精算作業に際して共通使用するための手段である。同様に２つのレーンＣ、レーンＤによって挟まれた他のアイランドｂ上には貨幣取扱装置３と、給油機４ａ、４ｂとが設けられている。
これらの貨幣取扱装置１、３、及び給油機２ａ、２ｂ、４ａ、４ｂは、夫々ガソリンスタンド事務所等に設置されたＰＯＳ親機（管理装置）５に連結されている。
【００１２】
アイランドａ上の給油機２ａは、レーンＡ上の自動車に対して利用者が自らノズルを保持して給油作業を行うためのセルフ給油手段であり、給油機２ｂは、同様にレーンＢ上の自動車に対するセルフ給油手段である。また、貨幣取扱装置１はレーンＡ側及びレーンＢ側と対面する両外面に、夫々同じ構造の入出金口や操作表示部等を備えた接客手段１ａ、１ｂを備えており、レーンＡ及びレーンＢの各利用者による給油及び精算作業に対して夫々個別に対応することができる。特に、各利用者が同時に給油及び精算作業を行う場合においてもほぼ同時に対応できるように内部の金銭搬送部、識別部、金庫等が構成されている。
同様に、アイランドｂ上の貨幣取扱装置３は、その対向する２つの外面に、レーンＣ、レーンＤに夫々対応する接客手段３ａ、３ｂを備え、各給油機４ａ、４ｂは、夫々レーンＣ、レーンＤ上の利用者による個別の給油及び精算作業を可能としている。
前記給油機２ａ、２ｂ、４ａ、４ｂは、夫々油種に応じて異なった給油ノズル（図示しない）を備えている。
なお、給油機２ａ、２ｂ、４ａ、４ｂの機能は、夫々図１１における給油機３２と同一であるので説明は簡単にし、ここでは、主として貨幣取扱装置１とＰＯＳ親機５の構成、動作について詳しく説明する。
【００１３】
図２は、本発明に係わる給油システムの貨幣取扱装置の実施の一形態例を示す外形斜視図である。同図に示すように、本貨幣取扱装置１のレーンＡに対面する接客手段１ａは、操作表示部６ａ、レシート発行口７ａ、人感センサ８ａ、紙幣挿入排出口（紙幣入出金部）９ａ、硬貨投入口（硬貨入金部）１０ａ及び釣銭返却口（硬貨出金部）１１ａを備えている。なお、この例では、紙幣挿入口と紙幣排出口を一つの紙幣挿入排出口により兼用しているが、紙幣挿入口と紙幣排出口を別個に設けても良い。
また、他方のレーンＢに対面する接客手段１ｂは、夫々図示しない操作表示部６ｂ、レシート発行口７ｂ、人感センサ８ｂ、紙幣挿入排出口（紙幣入出金部）９ｂ、硬貨投入口（硬貨入金部）１０ｂ及び釣銭返却口（硬貨出金部）１１ｂを備えている。
ガソリンスタンド利用者による接客手段１ａを用いた精算時の操作方法は、以下の通りである。
利用者がレーンＡ上の自動車に対する給油を行うため、本貨幣取扱装置１の接客手段１ａに接近すると人感センサ８ａが作動し、貨幣取扱装置１は給油する油種を指定して入金するようタッチパネルから成る操作表示部６ａに表示する。
利用者が、操作表示部６ａ上のタッチスイッチにより給油する油種を指定し、続いて紙幣挿入排出口９ａに紙幣を挿入し、或いは、硬貨投入口１０ａに硬貨を投入すると、操作表示部６ａに入金金額が表示される。利用者は、これを操作表示部６ａにおいて確認し、確認ボタンを押すと給油が可能な状態となる。
給油可能な状態になると、利用者は給油機２ａの所定の給油ノズルを操作して自動車に給油する。そして、所定量を給油し、給油ノズルをもとに戻して給油作業を終了すると、貨幣取扱装置１は入金額、給油量、料金、釣銭金額等の清算情報を操作表示部６ａに表示する。同時に、釣銭がある場合は、紙幣挿入排出口９ａから紙幣による釣銭が、或いは、硬貨返却口１１ａから硬貨による釣銭が返却される。
そして、レシート発行口７ａからレシートが発行されて、セルフサービスによる給油が終了する。
【００１４】
図３は、本発明に係わる給油システムにおける貨幣取扱装置の実施の一形態例を示す構成概要図である。同図に示すように、本貨幣取扱装置１は、接客手段（接客部）１ａと、接客手段（接客部）１ｂと、共通部１ｃとで構成される。
一方の接客手段１ａは、ＣＰＵ１３ａ、操作表示部６ａ、プリンタ１４ａ、レシート発行口７ａ、人感センサ８ａを有するＰＯＳ子機１５ａと、紙幣挿入排出口（紙幣入出金部）９ａ、硬貨投入口（硬貨入金部）１０ａ、硬貨返却口（硬貨出金部）１１ａ及び施錠機構１２ａと、を備えて構成される。
また、他方の接客手段１ｂは、ＣＰＵ１３ｂ、操作表示部６ｂ、プリンタ１４ｂ、レシート発行口７ｂ、人感センサ８ｂを有するＰＯＳ子機１５ｂと、紙幣挿入排出口（紙幣入出金部）９ｂ、硬貨投入口（硬貨入金部）１０ｂ、硬貨返却口（硬貨出金部）１１ｂ及び施錠機構１２ｂとを備えて構成される。
共通部１ｃは、制御部１６と、共通紙幣搬送部（共通紙幣搬送部）１７に接続した紙幣ユニット２１と、投入硬貨共通搬送部２２及び払出し硬貨共通搬送部２７に接続した硬貨ユニット２６と、を備えている。
そして、紙幣ユニット２１は、識別計数部（識別部）１８と振分け保管部１９と釣銭保管部（金庫）２０を有して構成され、硬貨ユニット２６は、識別計数部（識別部）２３と振分け保管部２４と釣銭保管部（金庫）２５を有して構成される。
貨幣取扱装置１の主な構成部位の機能は、次の通りである。一方の接客手段１ａのＰＯＳ子機１５ａ、他方の接客手段１ｂのＰＯＳ子機１５ｂは、夫々ＣＰＵ１３ａ、１３ｂを介してＰＯＳ親機５と接続され、ＰＯＳ親機５の制御信号に基づいて操作表示部６ａ、６ｂ、プリンタ１４ａ、１４ｂを制御する。
共通部１ｃは、ＰＯＳ親機５の制御信号に基づいて制御部１６によって制御される。
操作表示部６ａ、６ｂは、夫々ＣＰＵ１３ａ、１３ｂの指示に基づいて、利用者に対して操作案内や装置の状態を表示すると共に、利用者が油種選択等の入力を行うことができる操作面である。
プリンタ１４ａ、１４ｂは、夫々ＣＰＵ１３ａ、１３ｂの指示に基づいて、利用者が給油した油種、油量、料金等を印字したレシートを、レシート発行口７ａ、７ｂへ排出する。
【００１５】
制御部１６はＰＯＳ親機５と接続され、ＰＯＳ親機５の制御に基づいて紙幣ユニット２１及び硬貨ユニット２６の動作を制御する。
共通紙幣搬送部１７は、紙幣挿入排出口９ａ或いは９ｂから挿入された紙幣を夫々紙幣ユニット２１へ移送する共通の搬送路であり、また、紙幣ユニット２１からの紙幣による釣銭を紙幣挿入排出口９ａ或いは９ｂへ移送する共通の搬送路である。
投入硬貨共通搬送部２２は、硬貨投入口（入金部）１０ａ或いは１０ｂから夫々個別に挿入された硬貨を夫々硬貨ユニット２６へ移送する共通の搬送路である。なお、この投入硬貨共通搬送部は必須要件ではなく、各硬貨投入口１０ａ、１０ｂから夫々投入された硬貨を夫々の専用硬貨搬送部により硬貨ユニット２６へ搬送するように構成してもよい。
また、払出し硬貨共通搬送部２７は、硬貨返却口（出金部）１１ａ或いは１１ｂへ、釣銭やリジェクト用の硬貨を硬貨ユニット２６から排出する共通の搬送路である。
紙幣ユニット２１の識別計数部（識別部）１８は、共通紙幣搬送部１７を経由して移送されてきた紙幣の金種や真贋を識別して計数する。
振分け保管部１９は、紙幣識別計数部１８で識別された紙幣を金種別に振分けて金種別のスタッカ（図示しない）に保管する。釣銭保管部２０は釣銭用の紙幣の保管庫（金庫）である。なお、振分け保管部１９と釣銭保管部２０の両機能を併有した一つの金庫を用いても良い。
硬貨ユニット２６の識別計数部（識別部）２３は、投入硬貨共通搬送部２２を経由して移送されてきた硬貨の金種や真贋を識別して計数する。
振分け保管部（振分け部）２４は、硬貨識別計数部２３で識別された硬貨を金種別に振分けて金種別のホッパ（図示しない）に保管したり、リジェクトすべき紙幣を保管せずに出金部へ払い出す。釣銭保管部２５は釣銭用の硬貨の保管庫（金庫）である。なお、振分け保管部２４と釣銭保管部２５の両機能を併有した環流式の一つの金庫を設けても良い。
【００１６】
図４は、本発明に係る給油システムの動作手順例を説明するフローチャートである。
以下、図４及び図３を用いて、本システムの動作を詳細に説明する。
利用者が貨幣取扱装置１の接客手段１ａに給油のために接近すると人感センサ８ａがこれを感知して、ＣＰＵ１３ａからの信号によって、操作表示部６ａに給油する油種を指定して入金するよう表示する。
利用者が操作表示部６ａのタッチパネルにおいて油種を指定する（ｓ１）と、油種情報がＣＰＵ１３ａを介してＰＯＳ親機５に伝達される（ｓ２）。
次に、利用者が紙幣挿入排出口９ａに紙幣を挿入する（ｓ３）と、紙幣挿入排出口９ａに設置された紙幣センサによって紙幣の入金が検知される（ｓ４）と共に、該検知情報は共通部１ｃの制御部１６に伝達され、該制御部１６からの制御に基づき紙幣は共通紙幣搬送部１７に送り込まれ、紙幣ユニット２１へ運ばれる。
また、利用者が、続いて硬貨投入口１０ａに硬貨を投入する（ｓ３）と、硬貨投入口１０ａに設置された硬貨センサによって硬貨の入金が検知され（ｓ４）、その検知情報は、制御部１６に伝達されるとともに、該制御部１６からの制御に基づき硬貨は投入硬貨共通搬送部２２に送り込まれ、硬貨ユニット２６へ運ばれる。
前述のように、制御部１６に入金の検知情報が伝達されると、該検知情報に基づいて制御部１６は、反対側の接客手段１ｂの硬貨投入口１０ｂに設置されたシャッタを閉じ（ｓ５）、該硬貨投入口１０ｂ側から硬貨入金ができないようにする。
同時に制御部１６は、前記入金の検知情報をＰＯＳ親機５に伝達する。ＰＯＳ親機５は該検知情報を貨幣取扱装置１の接客手段１ｂのＰＯＳ子機１５ｂのＣＰＵ１３ｂに伝達する。
ＣＰＵ１３ｂは、前記検知情報に基づいて操作表示部６ｂに当該接客手段が待機状態であることを表示する（ｓ６）。
【００１７】
紙幣ユニット２１に送り込まれた紙幣は、該紙幣ユニット２１の紙幣識別計数部１８に移送され、紙幣識別計数部１８において金種が識別され、金種毎の枚数が計数される。識別された紙幣は、金種別に振分け保管部１９のスタッカに保管される（ｓ７）。
保管された金種、枚数等の入金情報は、紙幣ユニット２１から制御部１６を介して、ＰＯＳ親機５へ伝達される。
また、硬貨ユニット２６に送り込まれた硬貨は硬貨識別計数部２３に移送され、該硬貨識別計数部２３において金種が識別され、金種毎の枚数が計数される。識別された硬貨は、金種別に振分け保管部２４のホッパに保管される（ｓ７）。
保管された金種、枚数等の入金情報は、硬貨ユニット２６から制御部１６を介して、ＰＯＳ親機５へ伝達される。
ＰＯＳ親機５は、伝達された入金情報を確認して（ｓ８）、確認信号をＰＯＳ子機１５ａのＣＰＵ１３ａに返送すると、ＣＰＵ１３ａは操作表示部６ａに入金額を表示する（ｓ９）。
また、ＰＯＳ親機５が入金を確認すると、該確認信号を制御部１６及び接客手段１ｂのＣＰＵ１３ｂにも伝達し、制御部１６においては反対側の接客手段１ｂの硬貨投入口１０ｂのシャッタ機構を開放し（ｓ１２）、ＣＰＵ１３ｂは操作表示部６ｂの待機状態表示を解除する（ｓ１３）。これにより、接客手段１ｂ側でも入金可能となる。
次に、利用者が入金額の表示を確認し、タッチパネル上の確認ボタンを押すと（ｓ１０）、該利用者確認信号はＣＰＵ１３ａを介してＰＯＳ親機５に伝達される。ＰＯＳ親機５はこれを確認して（ｓ１１）給油機２ａに給油許諾信号を伝達し、該給油機２ａは指定の油種について給油可能な状態になる。
利用者が給油機２ａの給油ノズルを操作して所要量を給油し（ｓ１４）、給油ノズルを戻すと、給油機２ａは給油量を計測して（ｓ１５）、その給油量情報をＰＯＳ親機５に伝達する。
ＰＯＳ親機５は伝達された給油量情報と、入金情報及び油種情報をもとに精算処理を行って釣銭金額を算出し（ｓ１６）、ＣＰＵ１３ａ及び制御部１６に伝達する。
ＣＰＵ１３ａは、前記釣銭情報に基づいて、操作表示部６ａに入金金額、給油量、料金、釣銭金額を表示する（ｓ１７）と共に、プリンタ１４ａから入金金額、釣銭金額、油種・給油量等を印字したレシートを、レシート発行部７ａより発行する（ｓ１９）。
また、これと同時に、制御部１６は紙幣ユニット２１の釣銭保管部２０或いは硬貨ユニット２６の釣銭保管部２５に、夫々所定の釣銭金額を指定する。
紙幣ユニット２１の釣銭保管部２０は、紙幣挿入排出口９ａより、また、硬貨ユニット２６の釣銭保管部２５は、硬貨返却口１１ａより、夫々指定された釣銭を払い出す（ｓ１８）。
【００１８】
ところで、図３に示すように、本発明に係わる給油システムに用いられる貨幣取扱装置１は貨幣（紙幣及び硬貨）の取り扱いにおいて、その内部構造を一部共用することで装置コストを低減している。
給油システムの場合、入金操作時、或いは、釣銭払出し時に貨幣取扱装置の両面で同時にアクセスするという場面はほとんどなく、ガソリンスタンドに見られる特有な販売手順は、その決済を自動で行なう貨幣取扱装置内の共用部を時分割にて両面対応するのに適している。
とは言え、ごくまれにではあるが、両方の接客手段に同時に利用者がアクセスする場合があり、例えば、両側からの紙幣による同時入金のときは、以下のように動作する。
例えば、一方の利用者が紙幣挿入排出口９ａに紙幣を入金した直後に（或いは同時に）、他方の利用者が反対側の接客手段１ｂの紙幣挿入排出口９ｂに紙幣を入金しようとした場合に、本発明では他方の利用者の紙幣の入金を受け付ける。つまり、紙幣挿入排出口９ｂ内に設けた紙幣シャッタを開放して内部に紙幣を引き込む。各紙幣挿入排出口９ａ、９ｂに夫々入金された紙幣は貨幣取扱装置内に取り込まれ、予め定められた優先順位に従って、或いは、少しでも早く入金されたことを検知された側を優先して、共通紙幣搬送部１７へ送り込まれる。一方、後回しにされた方の紙幣は、紙幣挿入排出口９ｂの下流側に位置する共通紙幣搬送部１７の適所にて所要の待機期間だけ搬送を停止されて一旦保留状態となり、先行して入金された紙幣に対する識別処理、或いは保管処理等が終了した直後に識別部へ搬送開始される。
【００１９】
紙幣の搬送は、ベルトやローラなどで高速に行うことができるので、双方の紙幣を同時に受け入れてから、順次、共通紙幣搬送部１７へ移送するようになっており、後処理される側の利用者であっても入金禁止としての待ち時間を意識させることがなくなる。
一方、硬貨については完全に同時入金を防止する方が好ましい。つまり、利用者が硬貨投入口１０ａに硬貨を投入したときに、他方の利用者が同時に反対側の接客手段１ｂの硬貨投入口１０ｂに硬貨を入金しようとして、硬貨投入口１０ａの硬貨センサによる硬貨入金の検知情報が制御部１６に送られたとしても、硬貨投入口１０ｂの入金を阻止するのである。
このように、硬貨の場合は、先に投入が検知された側の接客手段の入金額が確認されるまでの間、反対側の接客手段１ｂの硬貨投入口１０ｂに設置されたシャッタ機構をロックさせて該投入口を開放しない。
これと同時に、該検知情報をＰＯＳ親機５へ伝達し、ＰＯＳ親機５はＰＯＳ子機１５ｂのＣＰＵ１３ｂにこれを伝達する。そして、ＣＰＵ１３ｂは、操作表示部６ｂに入金禁止状態であることを表示する。
これは、硬貨の搬送は自然落下を利用したものであるから、高速化が困難であることにその理由がある。即ち、仮に両硬貨投入口からの同時、或いは相前後した入金を許容した場合には、何れか一方の処理を優先し、他方は識別計数部の手前にて保留しておく必要があるが、硬貨の処理には上述の如く時間がかかり、他方の利用者は保留状態のまま所要時間だけ待たされることとなる。しかも、その間、入金された金額表示がなされることがない状態で待たされるため、不安になる。本発明ではこのような利用者の不安を解消するために、他方の利用者の硬貨入金を禁止する一方で、表示部に入金が禁止される旨を表示するので、不安を与えることが無くなる。
【００２０】
次に、図５は本発明の貨幣取扱装置における共通紙幣搬送部と紙幣ユニットの具体的な構成例を示す説明図であり、図６は図５の構造を簡略化した図である。
貨幣取扱装置１は、各接客手段（接客部）１ａ、１ｂに設けた各紙幣挿入排出口（入出金部）９ａ、９ｂから夫々入金された紙幣を装置内部に搬送したり紙幣挿入排出口９ａ、９ｂから利用者に払戻しする共通紙幣搬送部１７と、共通紙幣搬送部１７により装置内に搬送されてきた紙幣の真贋、金種、数量を識別する共通の識別計数部（識別部）１８と、紙幣識別計数部１８により真正と判定され且つ金種の識別、計数を受けた紙幣を金種別に振分け搬送する共通の紙幣振分け搬送部３０と、紙幣振分け搬送部３０により搬送されてきた紙幣を金種別に受入れると共に収容した紙幣を金種別に共通紙幣搬送部１７に送出する共通の紙幣金庫３１と、これらを制御する制御部１６と、を備えている。
なお、紙幣金庫３１は、図３における振分け保管部１９と釣銭保管部２０の両機能を有するものである。また、振分け保管部１９内に受け入れた紙幣を釣銭用として流用する還流構成であっても差し支えない。
紙幣識別計数部１８と紙幣金庫３１は、図３における紙幣ユニット２１を構成している。
共通紙幣搬送部１７は、各接客手段１ａ、１ｂに設けた各紙幣挿入排出口（入出金部）９ａ、９ｂから夫々延びる専用紙幣搬送部３５ａ、３５ｂと、各専用紙幣搬送部３５ａ、３５ｂが合流する合流部４０と、合流部４０から紙幣ユニット２１の挿入口及び排出口に延びる共通搬送部４５と、を備える。
各紙幣挿入排出口９ａ、９ｂには、夫々装置内部に向かって紙幣センサ（フォトインタラプタ等）３６ａ、３６ｂと、紙幣シャッタ３７ａ、３７ｂが順次配置されており、制御部１６は紙幣センサ３６ａ、３６ｂが紙幣の入金を検知したときに、常時においては閉止状態にある紙幣シャッタ３７ａ、３７ｂを開放するためにソレノイド等のシャッタ駆動源を作動させ、紙幣の通過検知後にシャッタを閉止する。
各専用紙幣搬送部３５ａ、及び３５ｂは、夫々ローラによってエンドレスに張設されて正逆双方向へ走行駆動される複数の搬送ベルトＢ１、Ｂ２、及び搬送ベルトＢ３、Ｂ４を配置すると共に、搬送ベルトＢ１、Ｂ２同士、搬送ベルトＢ３、Ｂ４同士の接触面にて紙幣を搬送するように構成されている。各接触面は、紙幣が存在する状態で各搬送ベルトを停止させた際には保留部Ｓ１、Ｓ２として機能する。専用紙幣搬送部３５ａ、３５ｂは、各紙幣挿入排出口９ａ、９ｂから入金された紙幣を内部に送り込むばかりでなく、紙幣識別計数部１８にてリジェクトされた紙幣や、紙幣金庫３１から払い戻される紙幣を逆搬送して各紙幣挿入排出口９ａ、９ｂから払戻す機能をも有する。
【００２１】
制御部１６は、一方の接客手段、例えば右側の接客手段１ａに設けた紙幣挿入排出口９ａに紙幣が入金された場合、他方の接客手段１ｂに設けた他方の紙幣挿入排出口９ｂからの入金を許容する一方で、少なくとも一方の紙幣挿入排出口９ａから入金された紙幣を紙幣識別計数部１８が識別、計数完了するまでの待機期間は、他方の紙幣挿入排出口９ｂから入金した紙幣を他方の専用紙幣搬送部３５ｂにおいて保留する。待機期間が終了すると同時に、保留していた紙幣を紙幣識別計数部１８に向けて搬送開始する。なお、待機期間としては、上記のように識別、計数完了するまでの期間を設定してもよいし、紙幣金庫３１に入金完了するまでの期間としてもよい。
なお、紙幣挿入排出口９ａ、９ｂに一回の挿入操作により挿入できる紙幣枚数は複数枚であってもよく、複数枚の場合には重ねた状態で挿入する。連続投入はできず、先の一枚（一束）を挿入した時点で紙幣シャッタは閉止される。この先の紙幣が紙幣識別計数部１８を経て紙幣金庫３１に収納された時点で当該紙幣シャッタが開放し、次の紙幣の投入が可能となる。全ての紙幣投入が完了して入金した金額が確定した時点で、利用者は対面する位置にある操作表示部６ａ、６ｂ上のスイッチを操作して給油、精算作業を行うこととなる。なお、これは一制御例であり、連続投入を可能としてもよいことはもちろんである。
一方、先に投入した紙幣が紙幣センサを通過して紙幣シャッタが閉止した際においても、反対側の接客手段１ｂ側に位置する紙幣挿入排出口９ｂへの紙幣投入は可能であるが、紙幣挿入排出口９ａ側から先に入金された紙幣の識別、計数と、金庫への収納処理が完了するまでは、紙幣挿入排出口９ｂから入金された紙幣は専用紙幣搬送部３５ｂ内に保留され、先に入金された紙幣の処理が終了した後に初めて搬送開始される。この時点で、紙幣挿入排出口９ａからの紙幣の再入金が可能となる。このように両接客手段側から同時に入金が行われる場合には、各紙幣挿入排出口９ａ、９ｂは、一枚（一束）の紙幣を入金した時点で入金禁止状態となり、両サイドからの交互の入金が可能となり、他方の利用者を待機させる時間が少なくなる。
なお、紙幣挿入排出口９ａ、９ｂの何れか一方から複数枚の紙幣を重ねて一括入金した場合、紙幣識別計数部１８に重ねた状態で搬送された紙幣束は、識別計数用のセンサ部の直前で一旦停止し、図示しない分離給紙機構（給紙ローラとリバースローラ（或いは摩擦分離パッド）等から成る）により一枚ずつセンサ部に送り込まれて識別計数を受けた上で、金庫へ搬送されたり、或いはリジェクト処理（入金した紙幣挿入排出口からの払戻し）を受ける。
【００２２】
合流部４０は、例えば軸４１ａを中心として回動する切替爪４１により形成されており、専用紙幣搬送部３５ａ、３５ｂから入金されてきた紙幣（束）を選択的に下流側の共通搬送部４５へ搬送する。また、切替爪４１が実線の位置にあるときには左側の紙幣専用搬送部３５ｂからの紙幣だけを共通紙幣搬送部４５へ導き、実線位置より所定角度時計回り方向へ回動して点線の位置に達したときには右側の専用搬送部３５ａからの紙幣だけを共通紙幣搬送部４５へ導く。また、共通紙幣搬送部４５を経て紙幣金庫３１から払い戻される紙幣は、切替爪４１の切替動作によって、夫々各専用搬送部３５ａ、３５ｂへ導かれる。
共通紙幣搬送部４５は、例えばベルトＢ５、Ｂ６から構成される導入部４５Ａと、導入部４５Ａから紙幣識別計数部１８に延びる第１の共通搬送手段（第１の共通搬送路）４５ａと、紙幣金庫３１の排出口に延びる第２の共通搬送手段（第２の共通搬送路）４５ｂと、を備える。導入部４５Ａを、第１の共通搬送手段４５ａを経て紙幣識別計数部１８と連通させるか、或いは第２の共通搬送手段４５ｂを経て紙幣金庫３１の排出口へ連通させるかは、制御部１６によって駆動される切替爪４６の回動により選択的に切替えられる。切替爪４６が実線で示した位置にある時には合流部４０から導入部４５Ａを経て搬送されてきた紙幣を紙幣識別計数部１８に切替え搬送する一方で、図示の角度よりも少し反時計回りに回動して点線位置に達した時には紙幣識別計数部１８への進入路を遮断することにより、紙幣金庫３１の排出口から何れかの紙幣挿入排出口９ａ、９ｂへ釣銭として紙幣を払い戻すために、第２の共通搬送手段４５ｂから導入部４５Ａ、合流部４０を経て入金された側の専用搬送部、紙幣挿入排出口に逆搬送する。
第１の共通搬送手段４５ａから紙幣識別計数部１８に搬送された紙幣がリジェクトすべき偽札等の不適合紙幣である場合には、紙幣識別計数部１８は、このリジェクト紙幣を第１の共通搬送手段４５ａに戻し、導入部４５Ａ、合流部４０を経て対応する紙幣専用搬送部へ逆搬送して入金された側の紙幣挿入排出口９ａ、９ｂに戻す。一方、紙幣識別計数部１８は、真正紙幣である場合には、金種判別、計数を行った上で、紙幣振分け搬送部３０から紙幣金庫３１内に送り込んで金種別に収納する。
【００２３】
紙幣金庫３１は、紙幣識別計数部１８から送られてきた紙幣を金種別に収納する振分け保管部１９と、釣銭として払い出す紙幣を収容する釣銭保管部２０を併有する構造であっても良いし、振分け保管部１９が釣銭保管部２０を兼用する還流式の構造であってもよい。
紙幣金庫３１（釣銭保管部２０）から釣銭として所定金種の紙幣を所定枚数だけ払い出す場合には、第２の共通搬送手段４５ｂへ当該紙幣を搬送し、切替爪４６、導入部４５Ａ、合流部４０、更には何れか一方の紙幣専用搬送部を戻し方向へ駆動させることにより、入金された側の紙幣挿入排出口９ａ、９ｂへ払出す。
このように本発明の貨幣取扱装置における紙幣取扱装置Ａは、共通紙幣搬送部１７の大半の部分（合流部４０、共通紙幣搬送部４５）が両接客手段１ａ、１ｂに共通しており、更に紙幣識別計数部１８、紙幣金庫３１等の下流側のユニット類も全て共用となっているため、部品点数の低減により小型化、シンプル化、低コスト化を実現できる。
【００２４】
次に、図７は図３における硬貨共通搬送部１７、硬貨ユニット２６、及び硬貨共通搬送部２７の具体的構成例を示す図であり、図２の斜視図からも理解されるように紙幣ユニット２１を含む紙幣取扱装置Ａと、硬貨ユニット２６を含む硬貨取扱装置Ｂとは、貨幣取扱装置１内において概ね左右方向に位置をずらして配置されている。
貨幣取扱装置１に装備された硬貨取扱装置Ｂは、各接客手段１ａ、１ｂに設けた各硬貨投入口（入金部）１０ａ、１０ｂから夫々入金された硬貨を装置内部に搬送する専用硬貨搬送部５０ａ、５０ｂと、各専用硬貨搬送部５０ａ、５０ｂにより搬送されてきた硬貨を一旦収容する収容部（ホッパ）５５と、収容部５５内の硬貨を一個ずつ連続的に取り出して硬貨移送路５６に移載する取出し手段（掻き上げ搬送用のチェーンベルト）５８と、取出し手段５８から受け取った硬貨を矢印方向へ搬送する硬貨移送路５６と、取出し手段５８と硬貨移送路５６との移載部に配置されて硬貨の真贋、金種、数量を識別する共通の硬貨識別計数部５７（２３）と、硬貨識別計数部５７により真正と判定され且つ金種を判別された硬貨を硬貨移送路５６に沿って搬送する過程で金種別に振分けて金種別の金庫６０に送り込むとともに真正でない硬貨その他の受入れ不可と判定されたリジェクト硬貨をリジェクトする図示しない硬貨振分け部と、硬貨振分け部によりリジェクトされた硬貨及び金庫６０から払い出された釣銭用の硬貨を受け取って各出金部に排出する払出し硬貨共通搬送部８０と、これらを制御する制御部１６と、を備えている。
金庫６０は、図３に示した振分け保管部２４と釣銭保管部２５とを個別に備えた構成であっても良いし、振分け保管部２４と釣銭保管部２５の両機能を併有した還流式の一つの金庫ユニットであってもよい。
払出し硬貨共通搬送部８０は、少なくとも２つのローラＲによりエンドレスに張設されると共に駆動部によって正逆双方向に切替え走行可能に構成され且つ両端部を各硬貨返却口（出金部）１１ａ、１１ｂに近接させた排出ベルトＢ７と、排出ベルトＢ７をシーソー式に上下揺動可能に支持すると共に排出ベルトの搬送面が何れか一方の出金部に向けて下向き傾斜するように交互に各端部を下降させる傾動部８１と、を備えている。
【００２５】
傾動部８１は、排出ベルトＢ７の長手方向中央部、或いは何れか一方のローラＲを中心として排出ベルトをシーソー式に上下揺動させるように構成されている。傾動部８１の駆動源としては、モータ、ソレノイド等を用い、制御部１６からの制御信号により作動する。例えば、第１の接客手段１ａ側の硬貨投入口１０ａから硬貨が投入されたことが検知された場合には、制御部は排出ベルトＢ７の右端部が下向き傾斜した姿勢となるように傾動部８１を制御し、リジェクト硬貨、釣銭硬貨を払い出す場合には、排出ベルトＢ７を硬貨投入口１０ａ側に向けて走行させることにより、排出ベルト上に放出された硬貨を硬貨投入口１０ａ側へ排出する。第２の接客手段１ｂ側の硬貨投入口１０ｂから硬貨が投入されたことが検知された場合には、上記とは逆の操作を行う。
要するに、制御部１６は、一方の接客手段側に設けた硬貨投入口（入金部）から硬貨が投入された際に、傾動部８１により排出ベルトＢ７の一端を当該一方の接客手段側の硬貨返却口（出金部）に向けて下向き傾斜させた状態に保持すると共に、駆動部により排出ベルトＢ７を傾斜方向下側へ走行させることにより、硬貨振分け部から排出ベルトの搬送面に放出された硬貨を該一方の出金部から排出するものである。
この傾動部８１の作用により、仮に排出ベルトの搬送面に放出された硬貨に立ち上がり（自走）が生じたとしても、傾斜下方向に必ず転がるので、誤って他方の接客手段側へ払い出されることがなくなる。
また、各硬貨投入口１０ａ、１０ｂは、夫々各硬貨投入口の内部へ向けて順次配置した硬貨センサ８５ａ、８５ｂと、硬貨シャッタ８６ａ、８６ｂと、通過センサ８７ａ、８７ｂを備え、制御部１６は、各硬貨投入口１０ａ、１０ｂに設けた各硬貨シャッタ８６ａ、８６ｂを常時においては閉止状態に保持する一方で、一方の硬貨投入口（例えば、１０ａ）に硬貨が挿入されたことを一方の硬貨センサ８５ａが検知した時に該一方の硬貨シャッタ８６ａを開放し、その際には他方の入金部１０ｂの硬貨センサ８５ｂが硬貨挿入を検知したとしても他方の硬貨シャッタ８６ｂを閉止し続ける。
また、払出し硬貨共通搬送部８０は、紙幣挿入排出口９ａ、９ｂから紙幣が入金されて硬貨の釣銭を払出す場合にも利用される。即ち、制御部１６は、何れか一方の接客手段側（例えば、第１の接客手段１ａ）に設けた紙幣挿入排出口９ａから紙幣が投入された際に釣銭が発生する場合には、傾動部により排出ベルトＢ７の一端（図７の右端）を当該一方の接客手段１ａ側の硬貨返却口１１ａに向けて下向き傾斜させた状態に保持すると共に、駆動部により排出ベルトＢ７を傾斜方向下側へ走行させることにより、硬貨振分け部から排出ベルトの搬送面に放出された硬貨を該一方の硬貨返却口１１ａから排出する。
【００２６】
図８は傾動部８１の構成を示す略図であり、後述する図９の例に示した如く排出ベルトの一端部を支点として他端を上下動させる機構例を示している。
この傾動部８１は、排出ベルトＢ７を支持する２つのローラＲを回転自在に支持すると共に左側のローラＲの回転軸８２ａを中心として右端部を上下動させる支持板８２と、支持板８２の右下部に設けた長穴８２ｂと係合するリンク８３と、リンク８３を回転駆動させるモータ８４と、から構成されている。リンク８３は、一端をモータ８４の回転軸に固定されて回転駆動されると共に、リンク８３の他端に設けたピンは長穴８２ｂ内に遊嵌している。このため、モータ８４を駆動してリンク８３を一定方向へ回転させる過程でピンが長穴８２ｂ内を往復移動するので、支持板８２は回転軸８２ａを中心として右端部を上下動させることができる。
このように本発明の貨幣取扱装置の硬貨取扱装置Ｂは、投入硬貨共通搬送部２２を構成する収容部５５、取出し手段５８の他に、硬貨ユニット２６、及び払出し硬貨共通搬送部２７を全て両接客手段１ａ、１ｂの共用としたので、部品点数の削減によるシンプル化、小型化、及び低コスト化を図ることができる。
【００２７】
次に、図９（ａ）乃至（ｄ）に示した略図に基づいて本発明の貨幣取扱装置（硬貨取扱装置Ｂ）における硬貨の入金、出金（支払い）、返却、及び回収動作について説明する。
まず、図９（ａ−１）及び（ａ−２）は、硬貨取扱装置Ｂによる入金動作を示しており、図９（ａ−１）は硬貨投入口１０ａから投入された１又は複数の硬貨が専用硬貨搬送部５０ａを経て収容部５５に受け入れられてから、取出し手段５８によって硬貨移送路５６の左側端部に掻き上げ搬送される。硬貨移送路５６には左から右方向へ硬貨を搬送するチェーンベルトが配設されている。なお、この時点で、下方に位置する排出ベルトＢ７は、傾動部８１によって右端部が下向き傾斜するように駆動される。硬貨移送路５６の左側端部入口付近には硬貨識別計数部５７（２３）が配置され、硬貨移送路５６を右方向へ移動開始する各硬貨に対して真贋、金種の識別と計数を行う。識別計数部による判定の結果、取扱い可能な真正な硬貨である場合には硬貨移送路５６を右方向へ移動させ、移動する過程で対応する金種を収容する各金庫６０内に落下させる。一方、取扱い不可能な不適合硬貨である場合には、硬貨移送路５６内に進入する前のリジェクト経路５９から払出し硬貨共通搬送部８０の排出ベルトＢ７上に放出して対応する側の硬貨返却口１１ａへ排出する。
図９（ａ−２）では、硬貨投入口１０ｂから投入された１又は複数の硬貨が専用硬貨搬送部５０ｂを経て収容部５５に受け入れられてから、取出し手段５８によって硬貨移送路５６の左側端部に掻き上げ搬送される。なお、この時点で、下方に位置する排出ベルトＢ７は、傾動部によって左端部が下向き傾斜するように駆動される。以下の硬貨掻き上げ動作、識別動作、リジェクト経路５９と硬貨移送路５６への振分け動作、払出動作は、図９（ａ−１）の場合と同様である。
【００２８】
次に、図９（ｂ−１）（ｂ−２）により出金動作について説明すると、図９（ｂ−１）は接客手段１ａ側の硬貨返却口１１ａに釣銭硬貨を払い出す場合であり、この場合は金種別の各金庫６０内に収容された各硬貨は釣銭払出指令が出力されると、指定された金庫から指定された枚数が排出ベルトＢ７上に放出される。この際、排出ベルトＢ７は、硬貨返却口１１ａ側に下向き傾斜し、且つ排出ベルトＢ７も同方向へ走行するため、排出ベルト上の硬貨は硬貨返却口１１ａ内へ排出される。
図９（ｂ−２）は接客手段１ｂ側の硬貨返却口１１ｂに釣銭硬貨を払い出す場合であり、制御部からの指令によって傾動部８１が排出ベルトＢ７を硬貨返却口１１ｂ側に下向き傾斜させておき、この状態で排出ベルトＢ７上に釣銭用の硬貨を放出して、硬貨返却口１１ｂ内に排出させる。
図９（ｃ）は貨幣取扱装置の筐体外面に設けた図示しない返却レバー、取り消しボタン等が操作された場合に、一旦受け入れた硬貨を各硬貨返却口１１ａ、１１ｂから返却する動作を示す図である。何れかの硬貨入金口から入金された硬貨は識別計数処理を経てから金種毎に各金庫６０内に収容されるが、その後返却レバー、或いは取り消しボタンが操作されて投入金額を対応する硬貨返却口１１ａ、１１ｂから返却する必要が生じた場合には、制御部１６は傾動部を作動させて入金側と同じ側の硬貨返却口へ向けて排出ベルトＢ７を下向き傾斜させた上で、同方向へ走行させておき、この状態で各金庫から入金された硬貨と同金種、同数の硬貨を排出ベルト上に排出し、硬貨返却口へ返却する。
図９（ｄ）は貨幣取扱装置の管理者が金庫６０内の硬貨を回収する際の操作手順を示している。この例では、回収口９０は第２の接客手段１ｂ側の硬貨返却口１１ｂの近傍に設けられており、切替爪９１によって排出ベルトＢ７から排出される硬貨の排出方向が回収口９０と硬貨返却口１１ｂの何れか一方に選択的に切替えられる。図９（ｄ）の状態は回収口９０側に切り換えられた状態であり、図９（ｃ）の状態は硬貨返却口１１ｂ側に切り換えられた状態を示している。
図９（ｄ）において、管理者が貨幣取扱装置の接客手段１ｂ側の扉を開放すると、回収口９０が露出されるが、この状態で図示しない回収のための操作スイッチをオンすると、まず排出ベルトＢ７が回収口９０側に下向き傾斜し、かつ同方向へ向けて走行を開始し、続いて全ての金庫６０内から収容された各金種の硬貨が排出ベルト上に放出され、そのまま回収口９０に排出される。
【００２９】
次に、図１０は、両接客手段１ａ、１ｂ側で夫々入金が行われる場合の制御手順を示すフロー図である。この例ではまず第１の接客手段１ａ側の紙幣挿入排出口９ａから紙幣が入金されて（Ｓ１）、識別計数処理、金庫への収納が完了する動作（Ｓ２、内部ＯＫ）と並行して、第２の接客手段１ｂ側の紙幣挿入排出口９ｂからの入金が可能となり（Ｓ２１）、専用搬送部３５ｂの保留部Ｓ２における保留が行われて引き込み待ち状態となる（Ｓ２２）。この状態において、第１の接客手段１ａ側がステップ２の内部ＯＫの状態に移行すると、第２の接客手段１ｂ側ではステップ２３において入金処理が開始されて識別計数と金庫への収納が完了して内部ＯＫの状態となる（ステップ２４）。第２の接客手段側での入金処理が完了して内部処理がＯＫとなるまでは、第１の接客手段側から入金された２枚目以降の紙幣は保留される（Ｓ３、４）。ステップ２４において、内部ＯＫが出た時点で、第１の接客手段１ａ側ではステップ５において２枚目（２束目）の入金処理が可能となる。
また、第１の接客手段１ａ側で硬貨が入金された場合には（Ｓ６）、入金確定するまでは（Ｓ７）、第２の接客手段１ｂ側の硬貨シャッタが閉じたままロックされるため硬貨入金は禁止される。第１の接客手段１ａ側での入金確定後に接客手段１ｂ側での硬貨入金が許容される。ステップ８において給油を選択すると、制御部は釣銭を計算するため出金待ち状態となり（Ｓ９）、その後出金される（Ｓ１０）。この間、第２の接客手段１ｂ側では紙幣、硬貨の入金待ち状態となる（Ｓ２６）。
上述のように構成することによって、本発明に係る貨幣取扱装置を用いた本給油システムにおいては、セルフサービスによる給油を行うとき、利用者は入金を行う貨幣取扱装置において釣銭及びレシートを受取ることができる。また、このように利用者にとって利便性の高い給油システムが比較的安価に実現できる。
更に、本発明は給油システム等に限らず、一台の貨幣取扱装置を複数の利用者がほぼ同時に利用することを可能ならしめる為に、筐体の異なった面に接客手段を設ける場合に適用することができる。
【００３０】
【発明の効果】
以上説明したように、本発明の貨幣取扱装置によれば、例えばセルフ給油のガソリンスタンドにおいて、２つのレーンに挟まれたアイランド上に配置される２つの給油機に対して共通使用可能な料金精算用の単一の貨幣取扱装置において、可能な限り部品やユニットを共通使用することにより部品点数によるコスト増、装置の大型化を防止しながら、両レーン側からの同時利用に対応することができる。
また、ガソリンスタンドに配され両側に給油車両用レーンを有するアイランド上に、夫々のレーン用の給油機と、入金機構とともに釣銭等の払い出し機構を有する二つの接客面を夫々のレーンに対面して備えた１基の貨幣取扱装置を備えるようにしたので、利用者は、入金して給油したその場で釣銭とレシートを受取ることができる。
各アイランド上の夫々の貨幣取扱装置と給油機は、事務所等に設置されたＰＯＳ親機で一元的に管理し、ここでの管理上は、前記１基の貨幣取扱装置について、アイランド両側のレーン毎に夫々に対応する出納を管理することができる。
したがって、本発明によれば、設備の大型化を回避しつつ、安価に実現できて利用者に便利な、貨幣取扱装置を提供することができる。
【図面の簡単な説明】
【図１】本発明に係わる貨幣取扱装置を適用する一つの例としての給油システムの実施の一形態例を示す模式的な配置図。
【図２】本発明に係わる貨幣取扱装置を用いた給油システムの実施の一形態例を示す外形斜視図。
【図３】本発明に係わる貨幣取扱装置を用いた給油システムの実施の一形態例を示す構成概要図。
【図４】本発明に係わる貨幣取扱装置を用いた給油システムの動作を説明するフローチャート。
【図５】本発明の一実施形態に係る貨幣取扱装置の紙幣取扱装置の概略構成説明図。
【図６】図５の紙幣取扱装置を更に簡略化した模式図。
【図７】本発明の一実施形態に係る貨幣取扱装置の硬貨取扱装置の概略構成説明図。
【図８】傾動部の一例を示す略図。
【図９】本発明の貨幣取扱装置における硬貨取扱装置の動作説明図。
【図１０】硬貨取扱装置における処理手順を示すフローチャート。
【図１１】従来のセルフ給油システムの一例を示す構成概要図。
【図１２】従来のセルフ給油システムの構成部のガソリンスタンドにおける配置例を示す図。
【符号の説明】
１  貨幣取扱装置、１ａ、１ｂ  接客手段、１ｃ  共通部、Ａ  紙幣取扱装置、Ｂ  硬貨取扱装置、２ａ、２ｂ  給油機、  ３  貨幣取扱装置、  ４ａ、４ｂ  給油機、５  ＰＯＳ親機、６ａ、６ｂ  操作表示部、７ａ、７ｂ  レシート発行口、  ８ａ、８ｂ  人感センサ、９ａ、９ｂ  紙幣挿入排出口、１０ａ、１０ｂ硬貨投入口、１１ａ、１１ｂ  硬貨返却口、１２ａ、１２ｂ  施錠機構、１３ａ、１３ｂ  ＣＰＵ、１４ａ、１４ｂ  プリンタ、１５ａ、１５ｂ  ＰＯＳ子機、１６  制御部、１７  共通紙幣搬送部、１８  識別計数部、１９  振分け保管部、２０  釣銭保管部、２１  紙幣ユニット、２２  投入硬貨共通搬送部、２３識別計数部、２４  振分け保管部、２５  釣銭保管部、２６  硬貨ユニット、２７  払出し硬貨共通搬送部、  ３０  振分け搬送部、３１  金庫、３５ａ、３５ｂ  専用搬送部、４０  合流部、３６ａ、３６ｂ  紙幣センサ、３７ａ、３７ｂ  紙幣シャッタ、Ｂ１〜Ｂ６  搬送ベルト、Ｓ１、Ｓ２  保留部、４１  切替爪、４５  共通紙幣搬送部、４５Ａ  導入部、４５ａ  第１の共通搬送手段、４５ｂ  第２の共通搬送手段、５０ａ、５０ｂ  専用硬貨搬送部、５５  収容部（ホッパ）、５６  硬貨移送路、５７  識別計数部、５８  取出し手段、６０  金庫、８０  硬貨共通搬送部、８１  傾動部、８２  支持板、８３  リンク、８２ａ  回転軸、８２ｂ  長穴、８３  リンク、８４  モータ、Ｂ７  排出ベルト、８５ａ、８５ｂ  硬貨センサ、８６ａ、８６ｂ  硬貨シャッタ、８７ａ、８７ｂ通過センサ、１００  アイランド、  １０１  外部端末、  １０２  給油機、１０３  精算機、１０４  ＰＯＳ、１０５  紙幣入金部、  １０６  操作表示部、  １０７  カード発行部、１０８  給油ノズル。
【図１】
2004310540.tif 000003
【図２】
2004310540.tif 000004
【図３】
2004310540.tif 000005
【図４】
2004310540.tif 000006
【図５】
2004310540.tif 000007
【図６】
2004310540.tif 000008
【図７】
2004310540.tif 000009
【図８】
2004310540.tif 000010
【図９】
2004310540.tif 000011
【図１０】
2004310540.tif 000012
【図１１】
2004310540.tif 000013
【図１２】
2004310540.tif 000014